(57)【要約】【課題】  構造が強化された金属桶を実現することを目的とする。【解決手段】  本体１０は、金属材質で作られる中空形体であり、第一端に三辺形の開口１１を有し、第二端に四辺形の底部１２を有する。周縁には、多数の規則的ではない曲面を有する。規則的ではない曲面の相接箇所に、弧状の突出曲げ部１６が形成され、これが、構造を強化する。【選択図】  図１
2006176165.tif 000002
【特許請求の範囲】
【請求項１】
金属材質である中空形体である本体を有し、
該本体は、第一端及び第二端を有し、該第一端が開口であり、第二端が底部であり、該第一端と該第二端との間に物品を収納する桶体が形成され、
該第一端と該第二端とは対称ではなく、該桶体はその周縁に、規則的ではなく形成された曲面を有する構成としたことを特徴とする強化構造を持つ金属桶。
【請求項２】
請求項１に記載の強化構造を持つ金属桶において、
前記本体は、前記第一端が開口の外周長さが、前記第二端の底部の外周長さより長い構成であり、
該本体は、前記第一端から第二端へ向かって、次第に縮まる形状を有する構成としたことを特徴とする強化構造を持つ金属桶。
【請求項３】
請求項１又は請求項２に記載の強化構造を持つ金属桶の桶体において、
前記開口及び底部は、それぞれ対称ではない多辺形である構成としたことを特徴とする強化構造を持つ金属桶。
【請求項４】
請求項３に記載の強化構造を持つ金属桶において、
前記桶体の周縁の規則的ではなく形成された曲面は、相接箇所に、弧状の突出曲げ部が形成してあり、
該突出曲げ部は、規則的ではなく、且つ、前記桶体の周縁に囲繞してある構成としたことを特徴とする強化構造を持つ金属桶。
【請求項５】
請求項３に記載の強化構造を持つ金属桶において、
前記開口は、略三辺形であり、
前記底部は、略四辺形であることを特徴とする強化構造を持つ金属桶。
【請求項６】
請求項２に記載の強化構造を持つ金属桶において、
前記本体の第一端の開口は、楕円形であり、
前記本体の底部は、円形であることを特徴とする強化構造を持つ金属桶。
【請求項７】
請求項１又は請求項２に記載の強化構造を持つ金属桶において、
前記本体の第一端の開口は、多辺形であり、
前記本体の第二端の底部は、円形であることを特徴とする強化構造を持つ金属桶。
【請求項８】
請求項７に記載の強化構造を持つ金属桶において、
前記本体の開口の多辺形は、三辺形又は四辺形であることを特徴とする強化構造を持つ金属桶。
【請求項９】
請求項２に記載の強化構造を持つ金属桶において、
前記本体は、その開口が底部と同じ多辺形であり、且つ、該開口及び底部は交差の方式であり、該本体の両端に配置してあることを特徴とする強化構造を持つ金属桶。
【請求項１０】
請求項９に記載の強化構造を持つ金属桶において、
前記桶体の周縁の規則的ではなく形成された曲面は、相接箇所に、弧状の突出曲げ部が形成してあり、
該突出曲げ部は、規則的ではなく、且つ、前記桶体の周縁に囲繞してある構成としたことを特徴とする強化構造を持つ金属桶。
【発明の詳細な説明】
【技術分野】
【０００１】
本発明は強化構造を持つ金属桶に係り、特に強化構造を持つ金属のごみ桶に関する。
【背景技術】
【０００２】
従来の１例のごみ桶は、上下両端が円形であり対称である桶体よりなる構成である。
【０００３】
従来の別の例のごみ桶は、上下両端が方形であり対称である桶体よりなる構成である。
【特許文献１】台湾国特許公告Ｎｏ．２４５２３２
【発明の開示】
【発明が解決しようとする課題】
【０００４】
しかし、従来から既知の構造は実用からみると、次の様々な欠点が挙げられる。前掲のごみ桶はごみを収納することができるが、桶体の上下両端が対称造形の設計である為、桶体の構造強度が弱い。また、方形桶体の平面である場合には、すこし突き当たると、内へ凹んで変形され、強度が明らかに足りない。桶体の強度が不足している為、より重いごみを収容した場合には、その負荷を受けて変形してしまう。ひどいものになると、桶体１０、２を運搬しているうちに、又はごみが倒れるときに、容易に他の異物に当たるので、いつも変形、破損され、地面に落ちても、容易に損壊される。そして、ごみ桶の使用寿命を短縮させ、産業に合わない設計になって、実用ではなく、改良しなければならない。
【０００５】
本発明は、上記課題を解決した強化構造を持つ金属桶を提供することを目的とする。
【課題を解決するための手段】
【０００６】
本発明は、金属材質である中空形体である本体を有し、
該本体は、第一端及び第二端を有し、該第一端が開口であり、第二端が底部であり、該第一端と該第二端との間に物品を収納する桶体が形成され、
該第一端と該第二端とは対称ではなく、該桶体はその周縁に、規則的ではなく形成された曲面を有する構成としたことを特徴とする。
【発明の効果】
【０００７】
本体の両端の対称ではない設計を経由して、桶体の周縁に、規則的ではない曲面が形成される。結局、本体の桶体の強度を向上させ、突き当たっても損壊しなくて、使用寿命を高める。
【発明を実施するための最良の形態】
【０００８】
次に本発明の実施の形態について説明する。
【実施例１】
【０００９】
図１は本発明の実施例１の強化構造を持つ金属桶の斜視図である。図２は金属桶をその底側から見た斜視図である。図３は金属桶の平面図である。
【００１０】
各図に示すように、強化構造を持つ金属桶は本体１０を有する。本体１０は、第一端及び第二端を有する。本体１０の両端には、それぞれ対称ではない形状の造形を設けてあるので、本体１０の強度は向上している。
【００１１】
本体１０は、金属材質で作られる中空形体であり、第一端及び第二端を有する。本体１０の第一端に開口１１が形成してあり、本体１０の第二端に底部１２が形成してある。本体１０の開口１１と底部１２との間に、桶体１３が形成される。本体１０の開口１１の外周長さが底部１２の外周長さより大きいので、本体１０は第一端から第二端へ向かって、略次第に縮めるように成形されている。開口１１及び底部１２は対称ではない多辺形状である。例えば、本実施例では、開口１１はおよそ三辺形となり、底部１２はおよそ四辺形である。開口１１は複数の折り曲げ部１４を持ち、底部１２も複数の折り曲げ部１５を持つ。
【００１２】
特に図２を参照するに、開口１１が三辺形だから、開口１１は三つの折り曲げ部１４がある。底部１２が四辺形だから、底部１２は四つの折り曲げ部１５がある。開口１１の三つの折り曲げ部１４と底部１２の四つの折り曲げ部１５との間を接続すると、緩和かつスムーズな桶体１３が形成される。また、桶体１３の周縁に、多数の規則的ではない曲面が形成される。曲面の強度は平面の強度より高い。よって、規則的ではない曲面であることによって、桶体１３はより大きな負荷を受けることができる。規則的ではない曲面の相接箇所に、弧状の突出曲げ部１６が形成してある。突出曲げ部１６は一般的な曲面の強度より良い。また、突出曲げ部１６は規則的ではない方式であり、桶体１３の周縁に囲繞してある。よって、本体１０は複数の規則的ではない突出曲げ部１６を持つので、自身１０の桶体１３の強度を向上させ、突き当たっても損壊が起きず、使用の寿命をアップさせる。
【００１３】
特に図３を参照するに、本体１０の開口１１は底部１２より大きい。これによって、ごみ袋を広げて本体１０に内部にセットして掛ける作業が利便となり、また、物品をごみ袋内に入れる作業が利便となり、また、物品が入ったごみ袋を本体１０から引き出して取り出す作業も利便となる。
【００１４】
図４は上記の強化構造を持つ金属桶の変形例の平面図である。
【００１５】
本体１０の開口１１は、四つの折り曲げ部１４を有し、四辺形である。開口１１及び底部１２は同じ形状であり、四辺形である。開口１１及び底部１２は交差の方式で、本体１０の両端に設置してある。これによって、本体１０の桶体１３は規則的ではない曲面を具有するので、強度が向上している。
【実施例２】
【００１６】
図５は本発明の実施例２の強化構造を持つ金属桶の平面図である。
【００１７】
本実施例は前記の第１実施例と略同じであり、異なる箇所は、本体１０の底部１２の造形が円形であることである。本体１０の第一端の開口１１は多辺形であり、本体１０の第二端の底部１２は円形であり、対称ではない形状である。このため、開口１１と底部１２との間には規則的ではない曲面が形成され、これによって、本体１０の桶体１３の強度が向上してあり、本体１０の負荷能力を高めて、使用の寿命を延長する。その他、開口１１及び底部１２はニーズに応じて、それぞれ三辺形、四辺形など対称ではない形状にできる。
【実施例３】
【００１８】
図６は本発明の実施例３の強化構造を持つ金属桶の平面図である。
【００１９】
本実施例の前掲の実施例との異なる箇所は、本体１０の開口１１の造形が楕円形である。前掲の金属桶と同じように、開口１１の外周長さは底部１２の外周長さより長い。本体１０の第一端の開口１１は楕円形であり、底部１２は円形である。そして、本体１０の両端も対称ではない形状である。要するに、開口１１と底部１２との間に形成される規則的ではない曲面は本体１０の桶体１３の強度を向上させる。
【図面の簡単な説明】
【００２０】
【図１】本発明の実施例１の強化構造を持つ金属桶の斜視図である。
【図２】図１の金属桶をその底側から見た斜視図である。
【図３】図１の金属桶の平面図である。
【図４】図１の強化構造を持つ金属桶の変形例の平面図である。
【図５】本発明の実施例２の強化構造を持つ金属桶の斜視図である。
【図６】本発明の実施例３の強化構造を持つ金属桶の斜視図である。
【符号の説明】
【００２１】
１０  本体
１１  開口
１２  底部
１３  桶体
１４  折り曲げ部
１５  折り曲げ部
１６  突出曲げ部
【図１】
2006176165.tif 000003
【図２】
2006176165.tif 000004
【図３】
2006176165.tif 000005
【図４】
2006176165.tif 000006
【図５】
2006176165.tif 000007
【図６】
2006176165.tif 000008